(57)【要約】【課題】現在、戸建ての２階・３階ベランダ及びマンションのベランダ等の手摺又は壁に飛来してくる鳩などによる鳥害対策として、いろいろな対策商品がでています。しかし、ベランダで布団を干す時などネットを使用した場合、取り外しに手間取ったり、取り外しできないものあったりして大変である。見た目もベランダ全体を覆うため違和感を感じることもあります。【解決手段】タイプ別の支柱用支持具１・７・１０・１４及び中間用支持具２を使用することにより、鳥害防止柵を容易に取り外すことができ手間を省くことができます。また防止柵は手摺から１０センチ程度高くするだけ視界を遮るものではなく、簾型にすれば和風調に、ストロー束に好きな色をつければ個性的に外観を演出できます。【選択図】図１
2009225802.tif 000002
【特許請求の範囲】
【請求項１】
手摺も防止柵も両方ともにバンド又は紐によって固定する支持具を使用することを特徴とするベランダ鳥害防止柵及び支持具。
【請求項２】
防止柵側の固定方法はそのままに、手摺側の固定する部分をネジ式にしたことを特徴とする請求項１記載のベランダ鳥害防止柵及び支持具。
【請求項３】
防止柵側に差込バーを取り付け、支持具側に差込バーを受けるための差込口を設けたネジ式を特徴とする請求項１記載のベランダ鳥害防止柵及び支持具。
【請求項４】
手摺のない壁のみのベランダに対応するためのネジ式固定金具付き支持具を特徴とする請求項１記載のベランダ鳥害防止柵及び支持具。
【発明の詳細な説明】
【技術分野】
【０００１】  この発明は、戸建の２階・３階ベランダ又は、マンションのベランダ等の手摺又は壁に飛来してくる鳩などの鳥類対策としての防止柵及び支持具の形状に関する。
【背景技術】
【０００２】  従来の鳥害対策の形状は、ベランダ自体をネットで覆うもの、反射板を吊るすもの、ワイヤーを張るものが主である。
【発明の開示】
【発明が解決しようとする課題】
【０００３】しかしながら、以上の技術によれば、ベランダの手摺を使い布団を干す時などネット・反射板などは邪魔になったり、取り外しに手間取ったりする場合もあります。また見た目の美観を損ねる場合も時としてあると思います。  そこで、この発明は、簡単に取り外しができ、外観も損なうことがなく、鳥害を防止する道具を提供することを課題とする。
【課題を解決するための手段】
【０００４】  以上の課題を解決するために、第一発明は、手摺自体に支持具をバンド又は紐で固定できるようにし、鳥害防止柵も同様にバンド又は紐で支持具から容易に取り外しが可能なことを特徴とする鳥害防止柵及び支持具である。
また、第二発明は、手摺自体に支持具を取り付ける方法をバンド又は紐ではなくネジ式にすることにより安全に取り付けることができることを特徴とする支持具である。
また、第三発明は、さらに取り外しが容易にできるように、バンド又は紐ではなく、鳥害防止柵に差込バーを取付け、支持具に差込口と、手摺と固定するためのネジ式固定具を取付けたことを特徴とする鳥害防止柵及び支持具である。
また、第四発明は、ベランダの手摺がなく、壁のみの場合にも使用できるように、ネジ式固定金具に支持具を取付けたことを特徴とする支持具である。
【発明の効果】
【０００５】  第一発明、第二発明、第三発明または第四発明によれば、ベランダの手摺を利用する場合に簡単に鳥害防止柵の取り外しができるようになります。また、鳥害防止柵を簾の素材にすることにより、鳥害の多い季節に違和感なく溶け込むことができ、美観を損なわない効果があります。簾・ストロー束等の形状は、通常、筒状の竹又は葦・ストローなどを横に編んだものですが、鳥害防止柵の形状は、縦に編んだものです。また、鳥害防止柵は、発明の支持具を使用することにより、専用の簾・プレート等以外にも身近にある物で代用が出来るため経済的である。
【発明を実施するための最良の形態】
【０００６】  この発明の一実施形態を、図１に示す。
ベランダにある手摺に支持具１及び２をベルト又は紐３を使用し固定する。その後、防止柵６をベルト又は紐３を使用して支持具１及び２に固定したものである。【０００７】「実施形態の効果」
この実施形態によれば、ベランダの手摺を利用し日干しする場合など、支柱支持具１及び中間支持具２はそのままにし、防止柵６からベルト又は紐３を解くだけで簡単に取り外すことができ簡単に対応できる。また、防止柵６の素材を簾にした場合などは、外観を損わずにすみます。柵は手摺より１０センチ程度高くすることにより、鳥が手摺にとまることができなくなるため、フン害などもなくなります。鳥は手摺にとまることができないためベランダ内の安全が確認できないのでベランダに下りてくることがなくなります。【０００８】「他の実施形態」
図１の実施形態では、支持具１・２の固定及び防止柵６の固定ともにベルト又は紐３を使用していますが、他の実施形態では、図５・図６で示す支柱ネジ留め用支持具７を使用しネジ８を回すことで内プレート９が動き手摺を固定し、ベルト又は紐３を使用し防止柵６を固定するものでも良い。
また他の実施形態では、さらに防止柵６の取り外しの手間を省くのに図７の差込用支持具１０で支柱に固定し、図８の差込用プレート１２を使いベルト又は紐３を通し口４に入れて固定した防止柵６か、差込用プレート１２のプレート留め１３を使用し固定した防止柵１４かを差し込んで固定するものでも良い。
さらにベランダによっては手摺のないものもあり上記支持具が使用できないため、他の実施形態として、図１１で示すようにベランダの壁に直接固定できる支持具１５を使用したものでも良い。
【図面の簡単な説明】
【０００９】
【図１】この発明の一実施形態を示す斜視図である。
【図２】支柱用支持具の斜視図である。
【図３】中間用支持具の斜視図及びベルトの正面図である。
【図４】支柱用支持具使用時の断面図である。
【図５】支柱ネジ留め用支持具の斜視図である。
【図６】支柱ネジ留め用支持具の断面図である。
【図７】差込用支持具の斜視図である。
【図８】両用差込プレートの斜視図である。
【図９】簾型防止柵の正面図である。
【図１０】プレート型防止柵の正面図である。
【図１１】直壁用支持具の断面図である。
【図１２】従来技術を示す斜視図である。
【符号の説明】
【００１０】  １  支柱用支持具              ２  中間用支持具
３  ベルト又は、紐            ４  ベルト又は、紐の通し口
５  キズ防止ゴム              ６  簾・ストロー束・プレート他など防止柵
７  支柱ネジ留め用支持具      ８  固定用ネジ
９  内プレート              １０  差込用支持具
１１  差込口                  １２  差込（ベルト・プレート両用）プレート
１３  プレート柵用            １４  手摺のないベランダ用支持具
１５  手摺のないベランダ      １６  鳥防止ネット
【図１】
2009225802.tif 000003
【図２】
2009225802.tif 000004
【図３】
2009225802.tif 000005
【図４】
2009225802.tif 000006
【図５】
2009225802.tif 000007
【図６】
2009225802.tif 000008
【図７】
2009225802.tif 000009
【図８】
2009225802.tif 000010
【図９】
2009225802.tif 000011
【図１０】
2009225802.tif 000012
【図１１】
2009225802.tif 000013
【図１２】
2009225802.tif 000014